(57)【要約】  装置は、楕円インダクタンスキャパシタンス（ＬＣ）フィルタと、楕円ＬＣフィルタに直列に結合された抵抗容量性（ＲＣ）ノッチフィルタとを含む。楕円ＬＣフィルタおよびＲＣノッチフィルタは、フィードバック受信経路によって受信された無線周波数（ＲＦ）信号をフィルタ処理するように構成される。
2017520168.tif 000002
【特許請求の範囲】
【請求項１】
楕円インダクタンスキャパシタンス（ＬＣ）フィルタと、
前記楕円ＬＣフィルタに直列に結合された抵抗容量性（ＲＣ）ノッチフィルタと、
を備え、
前記楕円ＬＣフィルタおよび前記ＲＣノッチフィルタが、フィードバック受信経路によって受信された無線周波数（ＲＦ）信号をフィルタ処理するように構成された、装置。
【請求項２】
前記楕円ＬＣフィルタおよび前記ＲＣノッチフィルタが、トランシーバチップ中に含まれるオンチップフィルタを備える、請求項１に記載の装置。
【請求項３】
前記ＲＦ信号が前記楕円ＬＣフィルタまたは前記ＲＣノッチフィルタのうちの少なくとも１つをバイパスすることを可能にするように構成されたバイパス回路をさらに備える、請求項１に記載の装置。
【請求項４】
前記バイパス回路が、
前記楕円ＬＣフィルタに結合された第１段バイパストランジスタと、
前記ＲＣノッチフィルタに結合された第２段バイパストランジスタと
を備える、請求項３に記載の装置。
【請求項５】
前記バイパス回路が、前記楕円ＬＣフィルタの入力と前記ＲＣノッチフィルタの出力とに結合された多段バイパストランジスタを備える、請求項３に記載の装置。
【請求項６】
前記楕円ＬＣフィルタが調整可能な構成要素を含む、請求項１に記載の装置。
【請求項７】
前記ＲＣノッチフィルタが調整可能な構成要素を含む、請求項１に記載の装置。
【請求項８】
前記楕円ＬＣフィルタが、
第１のノードと第２のノードとに結合された第１のキャパシタと、
前記第１のノードと前記第２のノードとに結合されたインダクタと
を備える、請求項１に記載の装置。
【請求項９】
前記楕円ＬＣフィルタが、
前記第１のノードと第３のノードとに結合された第２のキャパシタと、
前記第２のノードと前記第３のノードとに結合された第３のキャパシタと、
前記第２のノードと前記第３のノードとに結合された抵抗器と
をさらに備える、請求項８に記載の装置。
【請求項１０】
前記ＲＣノッチフィルタが、
第１のノードと第２のノードとに結合された第１の抵抗器と、
前記第１のノードと第３のノードとに結合された第１のキャパシタと、
前記第２のノードと第４のノードとに結合された第２の抵抗器と、
前記第３のノードと前記第４のノードとに結合された第２のキャパシタと
を備える、請求項１に記載の装置。
【請求項１１】
前記ＲＣノッチフィルタが、前記第２のノードと前記第３のノードとの間で直列に結合された第３の抵抗器と第３のキャパシタとをさらに備える、請求項１０に記載の装置。
【請求項１２】
前記フィードバック受信経路がＲＦ送信経路のカプラに結合される、請求項１に記載の装置。
【請求項１３】
前記楕円ＬＣフィルタおよび前記ＲＣノッチフィルタが、前記ＲＦ信号のキャリア周波数の第３高調波に対応する前記ＲＦ信号の成分を減衰させるように構成されたＲＦフィルタ中に含まれる、請求項１に記載の装置。
【請求項１４】
楕円インダクタンスキャパシタンス（ＬＣ）フィルタ処理のための手段と、
楕円ＬＣフィルタ処理のための前記手段に直列に結合された抵抗容量性（ＲＣ）ノッチフィルタ処理のための手段と、
を備え、
楕円ＬＣフィルタ処理のための前記手段およびＲＣノッチフィルタ処理のための前記手段が、フィードバック受信経路によって受信された無線周波数（ＲＦ）信号をフィルタ処理するように構成された、装置。
【請求項１５】
楕円ＬＣフィルタ処理のための前記手段およびＲＦノッチフィルタ処理のための前記手段が、トランシーバチップ中に含まれる、請求項１４に記載の装置。
【請求項１６】
楕円ＬＣフィルタ処理のための前記手段またはＲＣノッチフィルタ処理のための前記手段のうちの少なくとも１つをバイパスするための手段をさらに備える、請求項１４に記載の装置。
【請求項１７】
楕円ＬＣフィルタ処理のための前記手段またはＲＣノッチフィルタ処理のための前記手段が、調整可能な構成要素を含む、請求項１４に記載の装置。
【請求項１８】
フィードバック受信経路において無線周波数（ＲＦ）信号を受信することと、
楕円インダクタンスキャパシタンス（ＬＣ）フィルタにおいて前記ＲＦ信号をフィルタ処理することと、
抵抗容量性（ＲＣ）ノッチフィルタを用いて前記楕円ＬＣフィルタの出力をフィルタ処理することと
を備える方法。
【請求項１９】
前記楕円ＬＣフィルタまたは前記ＲＣノッチフィルタの少なくとも１つの構成要素の特性を調整することをさらに備える、請求項１８に記載の方法。
【請求項２０】
前記ＲＦ信号が前記楕円ＬＣフィルタまたは前記ＲＣノッチフィルタのうちの少なくとも１つをバイパスすることを可能にするように構成されたバイパス回路において、制御信号を受信することをさらに備える、請求項１８に記載の方法。
【発明の詳細な説明】
【技術分野】
【０００１】
関連出願の相互参照
[0001]本出願は、その内容全体が参照により本明細書に明確に組み込まれる、同一出願人が所有する、２０１４年５月２９日に出願された米国仮特許出願第６２／００４，７５８号、および２０１５年３月２０日に出願された米国非仮特許出願第１４／６６４，６２２号の優先権を主張する。
【０００２】
[0002]本開示は、一般に電子機器に関し、より詳細には、送信機および受信機に関する。
【背景技術】
【０００３】
[0003]概して、送信機および受信機のために使用されるダイ面積を低減することが望ましい。ダイ面積は、利用可能なインターフェースピンの数によって制限されることがあるので、ピンの数を低減することは、ダイ面積が低減されることを可能にし得る。
【０００４】
[0004]開ループ電力制御を使用して、送信電力制御が達成され得る。開ループ電力制御は、工場較正時間を増加させることがあり、電源変動および温度変動により、精度劣化を受け得、複雑なルックアップテーブルを使用し得る。代替的に、送信された信号を検出し、ダウンコンバートするためにフィードバック受信機が使用され得る。ダウンコンバートされた信号情報は、送信電力を制御するためにフィードバックループ中で使用され得る。
【０００５】
[0005]ポータブル通信デバイスは、複数の周波数バンド中で信号を同時に送信および受信し得る。たとえば、モバイル通信用グローバルシステム（ＧＳＭ（登録商標））は７７７ＭＨｚから７９２ＭＨｚまでのアップリンク周波数バンドを使用し得、汎用パケット無線サービス（ＧＰＲＳ）は８８０ＭＨｚから９１５ＭＨｚまでのアップリンク周波数バンドを使用し得、ワイヤレスローカルエリアネットワーク（ＷＬＡＮ）システムは２．４ギガヘルツ（ＧＨｚ）および２．４８４ＧＨｚからの範囲にあるチャネルを使用し得る。表１に、ハンドヘルドモバイル通信デバイスにおいて使用されるいくつかの従来の無線周波数通信プロトコルによって使用され得る例示的な送信チャネル周波数を示す。
【０００６】
【表１】
2017520168.tif 000003
【０００７】
[0006]表１は、「アグレッサ」バンド中の信号周波数の範囲と比較して、比較的より低いメガヘルツ（ＭＨｚ）単位の周波数の範囲によって定義される「ビクティム」バンドを含む。表１は、ビクティムバンドの各々について、バンドまたはチャネル識別子と、チャネル識別子に対応する低い周波数と、チャネル識別子に対応する高い周波数とを示している。ビクティムバンドは、第１の送信経路（ＴＸ１）を介して第１の信号として送信され得、アグレッサバンドは、ワイヤレスローカルエリアネットワーク（ＷＬＡＮ）送信機を含み得る第２の送信経路（ＴＸ２）を介して、第２の信号として送信され得る。アグレッサバンドは、低い周波数および高い周波数によって示されるＴＸ２バンドを含み、また、低い周波数および対応する高い周波数によって示されるＷＬＡＮバンドを含む。ビクティムバンドは７７７ＭＨｚから９１５ＭＨｚまでの送信周波数によって表され、アグレッサバンドは２３００ＭＨｚから２６９０ＭＨｚまでの送信周波数によって表される。各アグレッサバンドの送信周波数は、対応するビクティムバンドの送信周波数よりも約３倍高い。
【０００８】
[0007]フィードバック経路受信機を使用して（たとえば、ＴＸ１において）ローバンド送信信号を検出する送信電力制御方法は、比較的高い電力で（たとえば、ＴＸ２において）ＷＬＡＮ送信信号を同時に送信するシステムにおける課題を提示し得る。たとえば、周波数ＴＸ１における送信信号電力が第１のアンテナにおいて０デシベルミリワット（ｄＢｍ）であるとき、周波数ＴＸ１においてフィードバック経路受信機に達する電力は、−２５ｄＢｍであり得る。フィードバック経路受信機入力において−５５ｄＢｍの３次相互変調ひずみの測度を与えるために、周波数ＴＸ２において除去を行うフィルタが使用され得る。言い換えれば、ＴＸ１における基本周波数の信号電力は、ＴＸ２における第２の送信信号の動作によって導入される３次相互変調からの信号電力よりも、３５５ｄＢｍ大きいことが望ましい。周波数ＴＸ２における送信信号電力が第２のアンテナにおいて２４ｄＢｍであるとき、および１５デシベル（ｄＢ）のアンテナ分離（antenna isolation）を仮定すると、フィードバック受信経路中のフィードバック信号電力は、システムが２５ｄＢの結合損失と追加の１０ｄＢの３次フィードバック除去とを有するとき、約−２６ｄＢｍと同じくらい高くなり得る。したがって、約３０ｄＢの減衰を与えるフィルタが、−５５ｄＢｍの３次相互変調ひずみを達成し得る。
【０００９】
[0008]トランシーバの出力段が２つまたはそれ以上の送信周波数において同時に動作させられ、出力段構成要素（たとえば、電力増幅器、カプラおよびアンテナ）が非線形利得応答を有するとき、相互変調ひずみがもたらされる。事実上、電力増幅器、アンテナおよびカプラが非線形応答プロファイルを有するとき、これらの要素は、送信信号を混合し、２＊（ＴＸ１）、２＊（ＴＸ２）および（ＴＸ１）＋（ＴＸ２）において追加の２次信号をもたらす。これらの２次信号は、基本周波数から取り除かれ、差動信号動作の使用によって低減または回避され得る。しかしながら、基本送信周波数ＴＸ１およびＴＸ２と２次信号との組合せを含む３次相互変調信号も生成され、当該の周波数バンド内に現われ得る。すなわち、これらの３次相互変調信号は、基本周波数ＴＸ１および基本周波数ＴＸ２においてまたはその近くで生じ、これらの周波数におけるフィルタの適用は、フィードバック経路受信機の有効性に有害であろう。
【００１０】
[0009]図において、別段に規定されていない限り、様々な図の全体を通して、同様の参照番号は同様の部分を指す。「１０２ａ」または「１０２ｂ」などの英文字名称をもつ参照番号について、英文字名称は、同じ図中に存在する２つの同様の部分または要素を区別し得る。参照番号が、すべての図において同じ参照番号を有するすべての部分を包含するものとする場合、参照番号に対する英文字名称は省略され得る。
【図面の簡単な説明】
【００１１】
【図１】[0010]ワイヤレス通信システムと通信するワイヤレスデバイスを示す図。
【図２】[0011]図１のワイヤレスデバイスにおいて使用され得るＲＦフィルタを含む構成要素の図。
【図３】[0012]図１のワイヤレスデバイスにおいて使用され得るＲＦフィルタを含む構成要素の別の図。
【図４】[0013]図１のワイヤレスデバイスにおいて使用され得るＲＦフィルタの例示的な実施形態を示す図。
【図５】[0014]図１のワイヤレスデバイスにおいて使用され得るＲＦフィルタの別の例示的な実施形態を示す図。
【図６】[0015]図１のワイヤレスデバイスにおいて使用され得るＲＦフィルタの別の例示的な実施形態を示す図。
【図７】[0016]図１のワイヤレスデバイスにおいて使用され得るＲＦフィルタの周波数応答のグラフ図。
【図８】[0017]図１のワイヤレスデバイスにおいて実行され得る方法の例示的な実施形態を示す図。
【発明を実施するための形態】
【００１２】
[0018]「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。
【００１３】
[0019]また、本明細書では、「アプリケーション」という用語は、オブジェクトコード、スクリプト、バイトコード、マークアップ言語ファイル、およびパッチなど、実行可能なコンテンツを有するファイルを含み得る。さらに、本明細書で言及する「アプリケーション」は、開かれる必要があり得るドキュメント、またはアクセスされる必要がある他のデータファイルなど、本来実行可能でないファイルを含み得る。
【００１４】
[0020]本明細書で使用する「オンライン」という用語は、データまたは音声通信セッションに関与するときなど、通信デバイスが使用中である間、本明細書で説明するような送信電力制御を実行することを指す。
【００１５】
[0021]図１は、ワイヤレス通信システム１２０と通信するワイヤレスデバイス１１０を示す図である。ワイヤレス通信システム１２０は、ロングタームエボリューション（ＬＴＥ（登録商標）：Long Term Evolution）システム、符号分割多元接続（ＣＤＭＡ）システム、モバイル通信用グローバルシステム（ＧＳＭ）システム、ワイヤレスローカルエリアネットワーク（ＷＬＡＮ）システム、または何らかの他のワイヤレスシステムであり得る。ＣＤＭＡシステムは、広帯域ＣＤＭＡ（ＷＣＤＭＡ（登録商標））、ＣＤＭＡ  １Ｘ、エボリューションデータオプティマイズド（ＥＶＤＯ：Evolution-Data Optimized）、時分割同期ＣＤＭＡ（ＴＤ−ＳＣＤＭＡ：Time Division Synchronous CDMA）、またはＣＤＭＡの何らかの他のバージョンを実装し得る。簡単のために、図１は、２つの基地局１３０および１３２と１つのシステムコントローラ１４０とを含むワイヤレス通信システム１２０を示している。概して、ワイヤレス通信システムは、任意の数の基地局と、ネットワークエンティティの任意のセットとを含み得る。
【００１６】
[0022]ワイヤレスデバイス１１０は、ユーザ機器（ＵＥ）、移動局、端末、アクセス端末、加入者ユニット、局などと呼ばれることもある。ワイヤレスデバイス１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、タブレット、コードレスフォン、ワイヤレスローカルループ（ＷＬＬ）局、Ｂｌｕｅｔｏｏｔｈ（登録商標）デバイスなどであり得る。ワイヤレスデバイス１１０はワイヤレス通信システム１２０と通信し得る。ワイヤレスデバイス１１０はまた、放送局（たとえば、放送局１３４）からの信号、１つまたは複数のグローバルナビゲーション衛星システム（ＧＮＳＳ：global navigation satellite systems）中の衛星（たとえば、衛星１５０）からの信号などを受信し得る。ワイヤレスデバイス１１０は、ＬＴＥ、ＷＣＤＭＡ、ＣＤＭＡ  １Ｘ、ＥＶＤＯ、ＴＤ−ＳＣＤＭＡ、ＧＳＭ、８０２．１１など、ワイヤレス通信のための１つまたは複数の無線技術をサポートし得る。
【００１７】
[0023]ワイヤレスデバイス１１０は、複数のキャリア上での動作を含む、キャリアアグリゲーションをサポートし得る。キャリアアグリゲーションはマルチキャリア動作と呼ばれることもある。ワイヤレスデバイス１１０は、ローバンド（ＬＢ）周波数バンドグループ（たとえば、１つまたは複数の周波数バンド中に含まれる最高周波数が１０００メガヘルツ（ＭＨｚ）を超えない１つまたは複数の周波数バンドの「バンドグループ」）、ミッドバンド（ＭＢ）周波数バンドグループ（たとえば、１つまたは複数の周波数バンド中に含まれる最低周波数が１０００ＭＨｚを超え、１つまたは複数の周波数バンド中に含まれる最高周波数が２３００ＭＨｚを超えない１つまたは複数の周波数バンドのバンドグループ）、および／またはハイバンド（ＨＢ）周波数バンドグループ（たとえば、１つまたは複数の周波数バンド中に含まれる最低周波数が２３００ＭＨｚを超える１つまたは複数の周波数バンドのバンドグループ）中で動作することが可能であり得る。たとえば、ローバンドは６９８〜９６０ＭＨｚをカバーし得、ミッドバンドは１４７５〜２１７０ＭＨｚをカバーし得、ハイバンドは２３００〜２６９０ＭＨｚと３４００〜３８００ＭＨｚとをカバーし得る。ローバンド、ミッドバンド、およびハイバンドは、バンドの３つのグループ（またはバンドグループ）を指し、各バンドグループは、いくつかの周波数バンド（または単に、「バンド」）を含む。いくつかの実装形態では、各バンドは、２００ＭＨｚよりも小さいかまたはそれに等しいバンド幅を有し得、１つまたは複数のキャリアを含み得る。各キャリアは、ＬＴＥでは最高２０ＭＨｚをカバーし得る。ＬＴＥリリース１１は３５個のバンドをサポートし、それらのバンドは、ＬＴＥ／ＵＭＴＳバンドと呼ばれ、３ＧＰＰ（登録商標）  ＴＳ３６．１０１に記載されている。
【００１８】
[0024]ワイヤレスデバイス１１０は、送信のためにワイヤレス信号を生成するための送信経路を有するトランシーバを含み得る。ワイヤレスデバイス１００の受信フィードバック経路は、ワイヤレスデバイス１１０が送信された信号の電力制御を実行することを可能にするためのエネルギー測定回路に、送信された信号の一部分を与え得る。ワイヤレスデバイス１１０は、フィードバック受信経路においてビクティム周波数バンド（たとえば、ＴＸ１送信）に対するアグレッサ周波数バンド（たとえば、ＴＸ２送信）の成分を減衰させるように構成された、受信フィードバック経路中のＲＦフィルタを含む。ワイヤレスデバイス１１０の受信フィードバック経路中で実装され得るＲＦフィルタの例について、図２〜図６に関してさらに詳細に説明する。
【００１９】
[0025]概して、キャリアアグリゲーション（ＣＡ）は、２つのタイプ、すなわちイントラバンドＣＡとインターバンドＣＡとに分類され得る。イントラバンドＣＡは、同じバンド内の複数のキャリア上での動作を指す。インターバンドＣＡは、異なるバンド中の複数のキャリア上での動作を指す。
【００２０】
[0026]図２に、図１中のワイヤレスデバイス１１０の例示的な設計のブロック図を示す。この例示的な設計では、ワイヤレスデバイス１１０は、１次アンテナ２１０に結合されたトランシーバ２２０と、２次アンテナ２１２に結合されたトランシーバ２２２と、データプロセッサ／コントローラ２８０とを含む。トランシーバ２２０は、複数の周波数バンド、複数の無線技術、キャリアアグリゲーションなどをサポートするために、複数（Ｋ個）の受信機２３０ｐａ〜２３０ｐｋと複数（Ｋ個）の送信機２５０ｐａ〜２５０ｐｋとを含む。トランシーバ２２２は、複数の周波数バンド、複数の無線技術、キャリアアグリゲーション、受信ダイバーシティ、複数の送信アンテナから複数の受信アンテナへの多入力多出力（ＭＩＭＯ）送信などをサポートするために、複数（Ｌ個）の受信機２３０ｓａ〜２３０ｓｌと複数（Ｌ個）の送信機２５０ｓａ〜２５０ｓｌとを含む。
【００２１】
[0027]図２に示されている例示的な設計では、各受信機２３０ｐａ〜２３０ｐｋおよび２３０ｓａ〜２３０ｓｌは、それぞれ、ＬＮＡ２４０ｐａ〜２４０ｐｋおよび２４０ｓａ〜２４０ｓｌと、受信回路２４２ｐａ〜２４２ｐｋおよび２４２ｓａ〜２４２ｓｌとを含む。データ受信では、１次アンテナ２１０は、基地局および／または他の送信機局から信号を受信し、受信ＲＦ信号を与え、その受信ＲＦ信号は、アンテナインターフェース回路２２４を介してルーティングされ、選択された受信機（たとえば、受信機２３０ｐｋ）に入力ＲＦ信号として提示される。同様にして、２次アンテナ２１２は、基地局および／または他の送信機局から信号を受信し、受信ＲＦ信号を与え、その受信ＲＦ信号は、アンテナインターフェース回路２２６を介してルーティングされ、選択された受信機に入力ＲＦ信号として提示される。
【００２２】
[0028]アンテナインターフェース回路２２４は、スイッチ、デュプレクサ、送信フィルタ、受信フィルタ、整合回路などを含み得る。以下の説明では、受信機２３０ｐｋが選択された受信機であると仮定する。受信機２３０ｐｋ内で、ＬＮＡ２４０ｐｋが、入力ＲＦ信号を増幅し、出力ＲＦ信号を与える。
【００２３】
[0029]受信回路２４２ｐｋは、出力ＲＦ信号をＲＦからベースバンドにダウンコンバートし、ダウンコンバートされた信号を増幅し、フィルタ処理し、データプロセッサ／コントローラ２８０にアナログ入力信号を与え得る。受信回路２４２ｐｋは、ミキサ、フィルタ、増幅器、整合回路、発振器、局部発振器（ＬＯ）生成器、位相ロックループ（ＰＬＬ：phase locked loop）などを含み得る。トランシーバ２２０、２２２中の各残りの受信機２３０ｐａ、２３０ｓａ、２３０ｓｌは、受信機２３０ｐｋと同様の様式で動作し得る。
【００２４】
[0030]図２に示されている例示的な設計では、各送信機２５０ｐａ〜２５０ｐｋおよび２５０ｓａ〜２５０ｓｌは、それぞれ、送信回路２５２ｐａ〜２５２ｐｋおよび２５２ｓａ〜２５２ｓｌと、電力増幅器（ＰＡ）２５４ｐａ〜２５４ｐｋおよび２５４ｓａ〜２５４ｓｌとを含む。データ送信では、データプロセッサ／コントローラ２８０は、送信されるべきデータを処理（たとえば、符号化および変調）し、選択された送信機にアナログ出力信号を与える。以下の説明では、送信機２５０ｐａが選択された送信機であると仮定する。送信機２５０ｐａ内で、送信回路２５２ｐａは、アナログ出力信号を増幅し、フィルタ処理し、ベースバンドからＲＦにアップコンバートし、被変調ＲＦ信号を与える。送信回路２５２ｐａは、増幅器、フィルタ、ミキサ、整合回路、発振器、ＬＯ生成器、ＰＬＬなどを含み得る。ＰＡ２５４ｐａは、被変調ＲＦ信号を受信し、増幅し、送信ＲＦ信号を与える。送信ＲＦ信号は、アンテナインターフェース回路２２４中のカプラ２９６を通してルーティングされ、１次アンテナ２１０を介して送信される。トランシーバ２２０、２２２中の各残りの送信機２５０ｐｋ、２５０ｓａ、２５ｓｌは、送信機２５０ｐａと同様の様式で動作し得る。
【００２５】
[0031]図２は、受信機２３０ｐａ〜２３０ｐｋおよび２３０ｓａ〜２３０ｓｌならびに送信機２５０ｐａ〜２５０ｐｋおよび２５０ｓａ〜２５０ｓｌの例示的な設計を示している。受信機および送信機はまた、フィルタ、整合回路など、図２に示されていない他の回路を含み得る。トランシーバ２２０および２２２の全部または一部分が、１つまたは複数のアナログ集積回路（ＩＣ）、ＲＦ  ＩＣ（ＲＦＩＣ）、混合信号ＩＣなどの上に実装され得る。たとえば、ＬＮＡ２４０ｐａ〜２４０ｐｋおよび２４０ｓａ〜２４０ｓｌならびに受信回路２４２ｐａ〜２４２ｐｋおよび２４２ｓａ〜２４２ｓｌは、ＲＦＩＣなどであり得る１つのモジュール上に実装され得る。トランシーバ２２０および２２２中の回路は他の様式でも実装され得る。
【００２６】
[0032]カプラ２９６は、電力増幅器２５４ｐａから受信された信号の一部分を、フィードバック受信信号として、フィードバック受信経路を介してフィードバック受信回路２９８ｐａに与える。フィードバック受信サーキュイティ２９８ｐａは、ＲＦフィルタ２９４を含む。ＲＦフィルタ２９４は、抵抗容量性（ＲＣ）ノッチフィルタ２９２などの第２のフィルタと直列に結合された、楕円インダクティブキャパシタンス（ＬＣ）フィルタ２９０などの第１のフィルタを含む多段フィルタである。フィードバック受信サーキュイティ２９８ｐａは、図５に関してさらに詳細に説明するものなど、楕円ＬＣフィルタ２９０および／またはＲＣノッチフィルタ２９２がバイパスされることを可能にするバイパス回路（図示せず）をさらに含み得る。フィードバック受信サーキュイティ２９８ｐａの出力（たとえば、ＲＣノッチフィルタ２９２の出力）は、データプロセッサ／コントローラ２８０において制御回路２８４に与えられ得る。楕円ＬＣフィルタ２９０は、比較的鋭いフィルタロールオフとともに（たとえば、送信機２５０ｐａの）ビクティムバンドのキャリア周波数において比較的低いインバンドリップル（in-band ripple）またはインバンドドループ（in-band droop）を与えるように構成され得る。ＲＣノッチフィルタ２９２は、アグレッサバンド（たとえば、送信機２５０ｓａにおいて送信されたＷＬＡＮ信号）のキャリア周波数を含む周波数ノッチ内の周波数成分を減衰させるように構成され得る。制御回路２８４は、ＲＦフィルタ２９４から受信された信号の１つまたは複数の信号エネルギー測定を実行し、閉ループ電力制御動作の一部として送信機２５０ｐａの送信電力を調整するように構成され得る。ＲＦフィルタ２９４の例示的な実装形態が図４〜図６に関して説明され、ＲＦフィルタ２９４の周波数応答の一例が図７に示されている。図７に関してさらに詳細に説明するように、ＲＦフィルタ２９４は、ビクティムバンド周波数において比較的低い減衰（またはインバンド「ドループ」）を与え得、ビクティムバンド周波数の約３倍の周波数にあるアグレッサバンドの強い減衰を与え得る。その結果、−５５ｄＢｍの３次相互変調ひずみが達成され得る。
【００２７】
[0033]データプロセッサ／コントローラ２８０は、ワイヤレスデバイス１１０のための様々な機能を実行し得る。たとえば、データプロセッサ／コントローラ２８０は、受信機２３０ｐａ〜２３０ｐｋおよび２３０ｓａ〜２３０ｓｌを介して受信されたデータと、送信機２５０ｐａ〜２５０ｐｋおよび２５０ｓａ〜２５０ｓｌを介して送信されるべきデータとのための処理を実行し得る。データプロセッサ／コントローラ２８０は、トランシーバ２２０および２２２内の様々な回路の動作を制御し得る。メモリ２８２は、データプロセッサ／コントローラ２８０のプログラムコードおよびデータを記憶し得る。データプロセッサ／コントローラ２８０は、１つまたは複数の特定用途向け集積回路（ＡＳＩＣ）および／または他のＩＣ上に実装され得る。制御サーキュイティ２８４はデータプロセッサ／コントローラ２８０内に含まれるものとして示されているが、他の実装形態では、制御サーキュイティ２８４は、データプロセッサ／コントローラ２８０の外部にあり得る。
【００２８】
[0034]図３に、ＲＦトランシーバ３１０とフロントエンドサブシステム３５０とを含むワイヤレス通信デバイス３００の例示的な実施形態を示す。ワイヤレス通信デバイス３００は、図１のワイヤレス通信デバイス１１０に対応し得る。フロントエンドサブシステム３５０は、送信周波数ＴＸ１において動作する第１の送信信号を、増幅し、フィルタ処理し、アンテナ３５５に制御可能に与える。さらに、ＲＦトランシーバ３１０およびフロントエンドサブシステム３５０は、ＴＸ２の送信周波数において動作する第２の送信信号を、増幅し、フィルタ処理し、アンテナ３６５に制御可能に与える。
【００２９】
[0035]フロントエンドサブシステム３５０は、ＲＦトランシーバ３１０のデジタルアナログ変換器（ＤＡＣ）３４２からアンテナ３５５に、ＴＸ１におけるアナログ信号を制御可能に結合する送信経路３５１を含む。送信経路３５１は、電力増幅器３５２と、パスバンドフィルタ３５４と、スイッチ３５６と、カプラ３５８との直列構成を含む。電力増幅器３５２は、ＤＡＣ３４２から送信信号を受信し、接続３４１上の利得制御信号に従って送信信号の増幅されたバージョンをフォワーディングする。パスバンドフィルタ３５４は、ＴＸ１を下回る周波数およびＴＸ１を上回る周波数において外来信号または雑音を減衰させる。増幅された送信信号のパスバンドフィルタ処理されたバージョンは、接続３４３上の制御信号に従って、スイッチ３５６によってカプラ３５８に選択的にフォワーディングされる。カプラ３５８は、アンテナ３５５などの第１のアンテナに結合されるように構成される。カプラ３５８は、増幅された送信信号のパスバンドフィルタ処理されたバージョンのエネルギーの大部分をアンテナ３５５に受け渡し、増幅された送信信号のパスバンドフィルタ処理されたバージョンの一部分は、接続３５９上でＲＦトランシーバ３１０のフィードバック経路３１４にフォワーディングされる。フィードバック経路３１４は、アナログデジタル変換器（ＡＤＣ）３４６を含み、また、以下でさらに詳細に説明するように、第１のロケーション３９４において、第２のロケーション３９６において、または第３のロケーション３９８においてＲＦフィルタ２９４を含む。
【００３０】
[0036]同様に、送信経路３６１は、ＲＦトランシーバ３１０のＤＡＣ３４４からアンテナ３６５に、ＴＸ２におけるアナログ信号を制御可能に結合する。送信経路３６１は、電力増幅器３６２と、パスバンドフィルタ３６４と、スイッチ３６６と、カプラ３６８との直列構成を含む。電力増幅器３６２は、ＤＡＣ３４４から送信信号を受信し、接続３４５上の利得制御信号に従って送信信号の増幅されたバージョンをフォワーディングする。パスバンドフィルタ３６４は、ＴＸ２を下回る周波数およびＴＸ２を上回る周波数において外来信号または雑音を減衰させる。増幅された送信信号のパスバンドフィルタ処理されたバージョンは、接続３４７上の制御信号に従って、スイッチ３６６によってカプラ３６８に選択的にフォワーディングされる。カプラ３６８は、アンテナ３６５などの第２のアンテナに結合されるように構成される。カプラ３６８は、信号エネルギーの大部分をアンテナ３６５に受け渡す。
【００３１】
[0037]電力フィードバック信号を使用して（たとえば、ＴＸ１において）ローバンド送信信号を検出するために、比較的高い電力において（たとえば、ＴＸ２において）ＷＬＡＮ送信信号を同時に送信する間、ＲＦフィルタ２９４は、フィードバック経路３１４中でＷＬＡＮトランジット信号周波数をフィルタ処理するために使用され得る。図３の例示的な実施形態に示されているように、フィードバック経路３１４は、ＲＦトランシーバ３１０における１つまたは複数の構成要素を含み得、またフロントエンドサブシステム３５０における１つまたは複数の構成要素を含み得る。したがって、ＲＦフィルタ２９４は、フロントエンドサブシステム３５０中の第１のロケーション３９４において、ＲＦトランシーバ３１０とフロントエンドサブシステム３５０との間のインターフェース３０３におけるまたはその近くの第２のロケーション３９６において、あるいはＲＦトランシーバ３１０中の第３のロケーション３９８において実装され得る。第３のロケーション３９８は、（ＲＦフィルタ２９４がトランシーバチップ３９２上に位置する）オンチップ構成３９５に対応し得る。オンチップ構成３９５を使用してＲＦフィルタ２９４を実装することは、（たとえば、トランシーバチップ３９２の外部の）外部フィルタとしてＲＦフィルタ２９４を実装することと比較して、より低いコスト（たとえば、より低い部品表（ＢＯＭ：bill of material））を生じ得る。フィードバック経路３１４に沿ったロケーションにかかわらず、ＲＦフィルタ２９４は、第１の送信信号電力の一部分を受信し、変更されたフィードバック信号を生成するように構成され得る。変更されたフィードバック信号は、周波数の第１の範囲（ＴＸ１）にわたって比較的小さいインバンドドループ（たとえば、信号電力変化）を有し得、第２の送信周波数（ＴＸ２）において比較的大きい信号電力除去を有し得る。
【００３２】
[0038]接続３４１および接続３４５上の利得制御信号のうちの１つまたは複数は、ワイヤレス通信システム３００から放射する送信信号電力をプログラム的に調整する、図２のデータプロセッサ／コントローラ２８０などのベースバンドプロセッサまたはコントローラから発生し得る。
【００３３】
[0039]接続３４３および接続３４７上のスイッチ制御信号のうちの１つまたは複数は、図２のデータプロセッサ／コントローラ２８０などのベースバンドプロセッサまたはコントローラから発生し得る。ベースバンドプロセッサまたはコントローラは、ＲＦトランシーバ３１０およびフロントエンドサブシステム３５０の外側に位置し得る。接続３４３および接続３４７上のスイッチ制御信号は、第１および第２の送信信号がワイヤレス通信システム３００からいつ放射するかのタイミングをプログラム的に調整するために、ベースバンドプロセッサまたはコントローラによって使用され得る。したがって、ベースバンドプロセッサまたはコントローラは、複数のワイヤレス通信プロトコルをサポートする適宜にタイミングをとられた送信信号の送信を協調させるために、１つまたは複数のアプリケーション、プログラム、構成要素、データベース、テーブル、またはモジュールに従って機能し得る。ベースバンドプロセッサまたはコントローラは、１つまたは複数の追加の内部または外部送信機（図示せず）からの干渉信号を回避するように（またはその影響を低減するように）プログラムされ得る。
【００３４】
[0040]例示的な実施形態では、ベースバンドプロセッサまたはコントローラは、電力推定を実行するためにフィードバック信号同相および直交位相成分を受信するように構成され得る。たとえば、受信フィードバック経路３１４は、図２の受信回路２４２に関して説明したように、１つまたは複数のミキサ、フィルタ、増幅器、整合回路、発振器、局部発振器（ＬＯ）生成器、および／または位相ロックループ（ＰＬＬ）などの構成要素を含み得る。例示的な実施形態では、ベースバンドプロセッサまたはコントローラは、直流（ＤＣ）オフセットによる誤差を回避するために１つまたは複数の信号処理技法を利用するように構成され得る。例示的な実施形態では、ベースバンドプロセッサまたはコントローラは、ＲＦトランシーバ３１０に送信信号と制御信号とを与え、ＲＦトランシーバ３１０は、電力制御を実行するためにオンライン電力推定を行う。デジタルベースバンドモジュールは、フロントエンドサブシステム３５０によって送信信号に適用される利得を更新するために、推定された電力情報を使用し得る。
【００３５】
[0041]図４は、多段ＲＦフィルタ４００の一実施形態（たとえば、図２および図３のＲＦフィルタ２９４の一実施形態）を示す例示的な図である。第１の段４０２は、カプラ（たとえば、図２のカプラ２９６または図３のカプラ３５８）に最も近く、ローパス楕円フィルタ４１０などの楕円ＬＣフィルタを含む。ＡＤＣ（たとえば、図３のＡＤＣ３４６）に最も近い第２の段４０４は、ＲＣノッチフィルタ４３０を含む。第１の段４０２の出力は、接続４２２を介して第２の段４０４の入力に結合される。
【００３６】
[0042]ローパス楕円フィルタ（ＬＰＥＦ：low-pass elliptical filter）４１０は、集積回路中の回路要素を使用して実装され得るＲＬＣ回路を含む。ＬＰＥＦ４１０は、第１のノード４０５（入力ノード）と第２のノード４２０（出力ノード）とに結合された第１のキャパシタ４１２を含む。インダクタ４１１は、第１のノード４０５と第２のノード４２０とに結合される。第２のキャパシタ４１４は、第１のノード４０５と第３のノード４１５とに結合される。第３のキャパシタ４１６は、第２のノード４２０と第３のノード４１５とに結合される。抵抗器４１３は、第２のノード４２０と第３のノード４１５とに結合される。
【００３７】
[0043]ＬＰＥＦ４１０は、接続４２２における出力信号によって特徴づけられる。出力信号は、周波数のパスバンド範囲中のリップル（「インバンドリップル」）および周波数のストップバンド範囲中のリップル、ならびにパスバンド周波数とストップバンド周波数との間の遷移（「フィルタロールオフ」）を含む。キャパシタンス値（第１のキャパシタ４１２のＣ１、第２のキャパシタ４１４のＣ２、および第３のキャパシタ４１６のＣ３）、抵抗器４１３の抵抗Ｒおよびインダクタ４１１のインダクタンスＬのうちの１つまたは複数が、低いインバンドリップルと比較的鋭いフィルタロールオフとを引き起こすように選択され得る。少なくとも１つのそれぞれのキャパシタと並列な１つまたは複数の追加のインダクタは、パスバンドとストップバンドとの間の遷移のレートを変更するためにＬＰＥＦ４１０に追加され得る。集積回路設計および製造の当業者は、多段フィルタ４００の第１の段４１０から所望の特性を達成するために、回路要素を複製することと、抵抗値、インダクタンス値およびキャパシタンス値を選択することとが可能である。
【００３８】
[0044]図示された例示的な実施形態では、ＲＣノッチフィルタ４３０はツイン「Ｔ」ノッチフィルタ（twin "T" notch filter）である。ツイン「Ｔ」ノッチフィルタ（ＴＴＮＦ）４３０は、集積回路中の回路要素を使用して実装され得るＲＣ回路を含む。ＴＴＮＦ４３０は、第１のノード４２５（入力ノード）と第２のノード４２７とに結合された第１の抵抗器４３２を含む。第１のキャパシタ４３１は、第１のノード４２５と第３のノード４２９とに結合される。第２の抵抗器４３６は、第２のノード４２７と第４のノード４３７（出力ノード）とに結合される。第２のキャパシタ４３５は、第３のノード４２９と第４のノード４３７とに結合される。第３の抵抗器４３３および第３のキャパシタ４３４は、第２のノード４２７と第３のノード４２９との間に直列に結合される。第３の抵抗器４３３と、第１のキャパシタ４３１と、第２のキャパシタ４３５とは、第１の「Ｔ」を形成する。第３のキャパシタ４３４と、第１の抵抗器４３２と、第２の抵抗器４３６とは、第２の「Ｔ」を形成する。図示のように、第１のキャパシタ４３１および第２のキャパシタ４３５は、入力ノード４２５と出力ノード４３７との間の第１の抵抗器４３２および第２の抵抗器４３６と並列である。
【００３９】
[0045]ＴＴＮＦ４３０は、接続４４０上の出力信号によって特徴づけられ得る。出力信号は、ノッチ周波数において狭いストップバンドまたはノッチを含む。キャパシタンス値および抵抗値は、ノッチ周波数および／または１つまたは複数の他のフィルタ特性を設定するように選択され得る。一例として、抵抗器４３３は、抵抗器４３２の抵抗の１／２であり、抵抗器４３６の抵抗の１／２である抵抗を有し得る。さらに、キャパシタ４３４は、キャパシタ４３１のキャパシタンスの２倍であり、キャパシタ４３５のキャパシタンスの２倍であるキャパシタンスを有し得る。抵抗およびキャパシタンスが上記で与えられた比に正確に一致するほど、出力ノード４４０においてノッチは深くなる。集積回路設計および製造の当業者は、多段フィルタ４００の第２の段４３０から所望の特性を達成するために、回路構成を複製することと、抵抗値およびキャパシタンス値を選択することとが可能である。
【００４０】
[0046]図５は、多段ＲＦフィルタ５００の第１の段５０２および第２の段５０４の一方または両方がバイパスされることを可能にする回路要素および接続を示す図である。第１の段５０２は、図４の第１の段４０２に対応し得、第２の段５０４は図４の第２の段４０４に対応し得る。バイパス回路５２０は、フィードバック受信信号がＲＦフィルタ５００の少なくとも一部分をバイパスすることを可能にするように構成される。バイパス回路５２０は、ＬＰＥＦ４１０に結合された（たとえば、ＬＰＥＦ４１０の入力５０１とＬＰＥＦ４１０の出力５０３とに結合された）第１段バイパストランジスタ５１２を含む単段バイパス回路を含む。バイパス回路５２０は、ＲＣノッチフィルタ４３０に結合された（たとえば、ＲＣノッチフィルタ４３０の入力５０５とＲＣノッチフィルタ４３０の出力５０７とに結合された）第２段バイパストランジスタ５１４を含む。バイパス回路５２０は、ＬＰＥＦ４１０の入力５０１とＲＣノッチフィルタ４３０の出力５０７とに結合された多段バイパストランジスタ５１０を含む多段バイパス回路を含む。多段バイパストランジスタ５１０は、フィードバック受信信号が多段ＲＦフィルタ５００をバイパスする（すなわち、第１の段５０２の楕円ＬＣフィルタ４１０をバイパスし、第２の段５０４のＲＣノッチフィルタ４３０をバイパスする）ことを可能にし得る。
【００４１】
[0047]図５の回路図に示されているように、多段フィルタ５００は、多段バイパストランジスタ５１０のゲートにおいて多段フィルタバイパスイネーブル信号５０９を受信したことに応答して、バイパスされ得る。多段バイパストランジスタ５１０が多段フィルタバイパスイネーブル信号５０９を受信するとき、多段バイパストランジスタ５１０は入力ノード４０５を出力ノード４４０に結合し、フィードバック信号（たとえば、図３のカプラ３５８からのＴＸ電力フィードバック信号３８８）は多段フィルタ５００をバイパスする。さらに示されているように、多段フィルタ５００の第１の段５０２は、第１段バイパストランジスタ５１２のゲートにおいて第１段バイパスイネーブル信号５１１を受信したことに応答して、バイパスされ得る。第１段バイパストランジスタ５１２が第１段バイパスイネーブル信号５１１を受信するとき、入力ノード４０５は接続４２２に結合され、フィードバック信号はローパス楕円フィルタ４１０をバイパスし、第２の段５０４の入力にフォワーディングされる。このモードで動作しているとき、フィードバック信号は、ツイン「Ｔ」ＲＣノッチフィルタ４３０によってフィルタ処理され、ローパス楕円フィルタ４１０によってフィルタ処理されない。逆に、第２の段５０４は、第２段バイパストランジスタ５１４のゲートにおいて第２段バイパスイネーブル信号５１３を受信したことに応答して、バイパスされ得る。第２段バイパストランジスタ５１４が第２段バイパスイネーブル信号５１３を受信するとき、接続４２２は出力ノード４４０に結合され、接続４２２上のローパスフィルタ処理されたフィードバック信号は、ツイン「Ｔ」ＲＣノッチフィルタ４３０をバイパスする。このモードで動作しているとき、フィードバック信号は、ＬＰＥＦ４１０によってフィルタ処理され、ツイン「Ｔ」ＲＣノッチフィルタ４３０によってフィルタ処理されない。各フィルタ段５０２、５０４がフィードバック受信経路上のフィードバック受信信号のエネルギーに影響を及ぼし得るので、フィルタ段５０２、５０４の一方または両方は、アグレッサバンド信号が送信されていない（または比較的低い送信電力を使用して送信されていない）とき、フィードバック受信信号を使用する閉ループ電力制御動作によってバイパスされ得る。
【００４２】
[0048]図６は、調整可能なフィルタ構成要素を有する多段フィルタ６００の第１の段６０２および第２の段６０４を示す回路図である。多段フィルタ６００は、例示的な、非限定的な例として、図２および図３のＲＦフィルタ２９４、図４のＲＦフィルタ４００、または図５のＲＦフィルタ５００に対応し得る。多段フィルタ６００は、楕円ＬＣフィルタ（たとえば、図４のＬＰＥＦ４１０）が調整可能な構成要素を含む、第１の段６０２の実装形態を含む。たとえば、第１のキャパシタ６１２、第２のキャパシタ６１４、第３のキャパシタ６１６、および抵抗器６１３は、それぞれ、図４の第１のキャパシタ４１２、第２のキャパシタ４１４、第３のキャパシタ４１６、および抵抗器４１３の調整可能なバージョンに対応し得る。
【００４３】
[0049]制御回路６８０は、楕円ＬＣフィルタの少なくとも１つの構成要素の調整可能な値に対応するデジタルコード６９０を受信するように構成され得る。例示のために、制御ワードは、キャパシタ６１２、キャパシタ６１４、およびキャパシタ６１６のうちの１つまたは複数のキャパシタンスを変化させるために適用され得る様々な制御信号を与えるために、バス６１０上に与えられ得る。たとえば、キャパシタ６１２は、入力ノード４０５と接続４２２との間に並列に結合される複数の切替え容量性要素（switched capacitive element）を含み得る。制御回路６８０は、キャパシタ６１２のキャパシタンスを変更するために切替え容量性要素の各々に与えられるアクティブ化または非アクティブ化信号を生成するために、受信された制御ワード（または受信されたコードワードの一部分）を復号するように構成され得る。同様に、制御回路６８０は、キャパシタ６１４および／またはキャパシタ６１６の切替え可能容量性要素に対応するアクティブ化または非アクティブ化信号を生成するために、受信されたコードワード（または受信されたコードワードの部分）を復号するように構成され得る。バス６１０を介して通信された追加の制御信号が、同様に、抵抗器６１３の抵抗を変化させるためにＬＰＥＦ４１０の制御入力に適用され得る。いくつかの実装形態では、第１のノード４０５と接続４２２とに結合されたインダクタ６１１は、インダクタ６１１のインダクタンスを変更するために制御回路６８０に応答し得る。したがって、様々な制御信号は、データまたは音声通信セッションに関与するときなど、通信デバイスが使用中である間、多段フィルタ６００の第１の段６０２の１つまたは複数の特性を制御可能に調整するために使用され得る。
【００４４】
[0050]多段フィルタ６００は、ＲＣノッチフィルタ（たとえば、図４のツイン「Ｔ」ＲＣノッチフィルタ４３０）が調整可能な構成要素を含む、第２の段６０４の実装形態をも含む。たとえば、第１の抵抗器６３２、第２の抵抗器６３６、第３の抵抗器６３３、第１のキャパシタ６３１、第２のキャパシタ６３５、および第３のキャパシタ６３４は、それぞれ、図４の第１の抵抗器４３２、第２の抵抗器４３６、第３の抵抗器４３３、第１のキャパシタ４３１、第２のキャパシタ４３５、および第３のキャパシタ４３４の調整可能なバージョンに対応し得る。
【００４５】
[0051]制御回路６８２は、ＲＣノッチフィルタの少なくとも１つの受動構成要素の調整可能な値に対応するデジタルコード６９２を受信するように構成され得る。例示のために、第２の制御ワードは、多段フィルタ６００の第２の段６０４におけるキャパシタンス値間の特定の関係を達成するために、キャパシタ６３４、キャパシタ６３１、およびキャパシタ６３５のうちの１つまたは複数のキャパシタンスを変化させるために適用される制御信号を導入するためにバス６３０上に与えられ得る。同様に、バス６３０を介して通信された１つまたは複数の追加の制御信号が、抵抗器６３３の抵抗または抵抗器６３２および抵抗器６３６のそれぞれの抵抗を変化させるために適用され得る。
【００４６】
[0052]したがって、多段フィルタ６００の１つまたは複数の段の性能は、多段フィルタ６００の１つまたは複数の構成要素の値を調整するために制御信号を使用して変更され得る。たとえば、図２の制御回路２８４は、それぞれ、バス６１０とバス６３０とを介して制御回路６８０、６８２において受信される１つまたは複数の制御ワードを生成し得る。例示のために、制御ワードは、アグレッサバンドのキャリア周波数に基づいておよび／またはビクティムバンドのキャリア周波数に基づいてなど、１つまたは複数のトランシーバの動作モードに基づいて、フィルタ性能を変更するために生成され得る。
【００４７】
[0053]図６はフィルタ段６０２および６０４の特定の受動構成要素を調整可能であるものとして示しているが、他の実装形態では、より少数の構成要素が調整可能であり得るか、または追加の構成要素が調整可能であり得る。段６０２および６０４は調整可能な構成要素を含むものとして示されているが、他の実装形態では、段６０２または段６０４のうちの１つは調整可能な構成要素を含まないことがある。
【００４８】
[0054]図７は、図４の多段フィルタ４００の適用後の受信機フィードバック経路中の送信信号電力対送信信号周波数のプロット７００である。送信信号周波数は水平軸に沿って示される。出力電力は、垂直軸上に信号強度（ｄＢ）によって示される。例示的な信号トレース７１０は、送信フィードバック経路中に挿入されるときの多段フィルタ４００が、約７７５ＭＨｚから９１５ＭＨｚの間（ビクティムバンドの範囲）の所望の低いインバンドドループまたは変動と、約２．４ＧＨｚから２．４８ＧＨｚの間の比較的近いＷＬＡＮ周波数における極めて高い除去（信号損失）とを与えることを示す。ビクティムバンドにおける低いインバンドドループおよび鋭いロールオフは、図４、図５、または図６のＬＰＥＦ４１０などの楕円ＬＣフィルタによって引き起こされ得る。アグレッサバンドに近い大きな減衰は、図４、図５、または図６のツイン「Ｔ」ＲＣノッチフィルタ４３０などのＲＦノッチフィルタの周波数ノッチに起因し得る。
【００４９】
[0055]例示的な実施形態では、図２および図３のＲＦフィルタ２９４、図４の多段フィルタ４００、図５の多段フィルタ５００、ならびに／または図６の多段フィルタ６００は、当該の無線周波数信号の周波数に近い周波数を有する無線周波数信号を除去するために、任意の受信機に適用され得る。
【００５０】
[0056]図８を参照すると、方法の例示的な実施形態が示されており、全体的に８００と称される。方法８００は、図１のワイヤレスデバイス１１０など、受信フィードバック経路中の多段フィルタをもつトランシーバを含むワイヤレスデバイスにおいて実行され得る。たとえば、方法８００は、例示的な、非限定的な例として、図１または図２のワイヤレスデバイス１１０、図３の通信デバイス３００、あるいは図４の多段フィルタ４００、図５の多段フィルタ５００、または図６の多段フィルタ６００を含むデバイスによって実行され得る。
【００５１】
[0057]８０２において、フィードバック受信経路において無線周波数（ＲＦ）信号を受信する。たとえば、ＲＦ信号は、フィードバック受信信号（たとえば、フィードバック受信信号３８８）を含み得、図３のカプラ３５８を介してフィードバック経路３１４において受信され得る。ＲＦ信号は、図３の第１の送信経路３５１を介してアンテナ３５５に与えられた送信信号の少なくとも一部分に対応し得る。
【００５２】
[0058]８０４において、ＲＦ信号を楕円インダクタンスキャパシタンス（ＬＣ）フィルタにおいてフィルタ処理する。楕円ＬＣフィルタは、例示的な、非限定的な例として、図２および図３のＲＦフィルタ２９４、図４の多段フィルタ４００、図５の多段フィルタ５００、または図６の多段フィルタ６００など、多段フィルタの第１の段であり得る。例示のために、ＲＦ信号は、例示的な、非限定的な例として、図２の楕円ＬＣフィルタ２９０において、あるいは図４、図５、または図６のローパス楕円フィルタ３１０においてフィルタ処理され得る。
【００５３】
[0059]８０６において、楕円ＬＣフィルタの出力を抵抗容量性（ＲＣ）ノッチフィルタを用いてフィルタ処理する。ＲＣノッチフィルタは、例示的な、非限定的な例として、図２および図３のＲＦフィルタ２９４、図４の多段フィルタ４００、図５の多段フィルタ５００、または図６の多段フィルタ６００など、多段フィルタの第２の段であり得る。例示のために、ＬＣフィルタの出力は、例示的な、非限定的な例として、図２のＲＣノッチフィルタ２９２、あるいは図４、図５、または図６のＲＣノッチフィルタ４３０において受信され得る。
【００５４】
[0060]楕円ＬＣフィルタおよびＲＣノッチフィルタは、ワイヤレス通信デバイスのトランシーバチップ中のオンチップフィルタ中に含まれ得る。たとえば、楕円ＬＣフィルタおよびＲＣノッチフィルタは、図３のトランシーバチップ３９２上のオンチップ構成３９５など、図３のＲＦトランシーバ３１０を含むトランシーバチップ中に含まれるオンチップフィルタであり得る。
【００５５】
[0061]方法８００はまた、楕円ＬＣフィルタまたはＲＣノッチフィルタの少なくとも１つの構成要素の特性を調整することを含み得る。たとえば、１つまたは複数の受信された制御信号は、キャパシタ６１２、キャパシタ６１４、および／またはキャパシタ６１６のうちの１つまたは複数のキャパシタンスを変化させるために、抵抗器６１３の抵抗を変化させるために、あるいはそれらの任意の組合せのために適用され得る。代替的に、または追加として、１つまたは複数の受信された制御信号は、キャパシタ６３１、キャパシタ６３４、および／またはキャパシタ６３５のうちの１つまたは複数のキャパシタンスを変化させるために、抵抗器６３２、抵抗器６３３、および／または抵抗器６３６の抵抗を変化させるために、あるいはそれらの任意の組合せのために適用され得る。
【００５６】
[0062]方法８００は、ＲＦ信号が楕円ＬＣフィルタまたはＲＣノッチフィルタのうちの少なくとも１つをバイパスすることを可能にするように構成されたバイパス回路において、制御信号を受信することを含み得る。たとえば、制御信号は、図５の多段フィルタバイパスイネーブル信号５０９、第１段バイパスイネーブル信号５１１、または第２段バイパスイネーブル信号５１３のうちの１つまたは複数に対応し得る。
【００５７】
[0063]図８は方法８００の要素の特定の順序を示しているが、他の実施形態では、方法８００の要素は別の順序で実行され得ることを理解されたい。さらに、方法８００の要素のうちの２つまたはそれ以上（あるいはすべて）が、同時にまたは実質的に同時に実行され得る。たとえば、楕円ＬＣフィルタとＲＣノッチフィルタとを含む多段フィルタは、時間変動受信フィードバック信号を連続的に受信し得、楕円ＬＣフィルタおよびＲＣノッチフィルタは、直列に結合された構成において、受信された信号をフィルタ処理するように連続的に動作し得る。
【００５８】
[0064]開示する実施形態とともに、楕円インダクタンスキャパシタンス（ＬＣ）フィルタ処理のための手段を含む装置について説明する。たとえば、楕円ＬＣフィルタ処理のための手段は、図２の楕円ＬＣフィルタ２９０、図４、図５、または図６のＬＰＥＦ４１０、低いインバンドリップルと比較的鋭いフィルタロールオフとを導入する１つまたは複数の他のフィルタ回路、あるいはそれらの任意の組合せに対応し得る。
【００５９】
[0065]本装置は、楕円ＬＣフィルタ処理のための手段に直列に結合された抵抗容量性（ＲＣ）ノッチフィルタ処理のための手段を含む。たとえば、ＲＣノッチフィルタ処理のための手段は、図２のＲＣノッチフィルタ２９２、図４、図５、または図６のツイン「Ｔ」ＲＣノッチフィルタ４３０、周波数ノッチ内の信号成分を減衰させる１つまたは複数の他のフィルタ回路、あるいはそれらの任意の組合せに対応し得る。
【００６０】
[0066]楕円ＬＣフィルタ処理のための手段およびＲＣノッチフィルタ処理のための手段は、フィードバック受信経路によって受信された無線周波数（ＲＦ）信号をフィルタ処理するように構成され得る。たとえば、楕円ＬＣフィルタ処理のための手段およびＲＣノッチフィルタ処理のための手段は、図２および図３のＲＦフィルタ２９４の段、図４の多段フィルタ４００の段、図５の多段フィルタ５００の段、図６の多段フィルタ６００の段、フィルタ回路のうちの１つまたは複数の段、またはそれらの任意の組合せに対応し得る。
【００６１】
[0067]例示的な実施形態では、楕円ＬＣフィルタ処理のための手段およびＲＣノッチフィルタ処理のための手段は、トランシーバチップ中に含まれる。たとえば、楕円ＬＣフィルタ処理のための手段およびＲＣノッチフィルタ処理のための手段は、図３のオンチップ構成３９５を有するＲＦフィルタ２９４などのＲＦフィルタに対応し得る。楕円ＬＣフィルタ処理のための手段およびＲＣノッチフィルタ処理のための手段は、ビクティムバンドとアグレッサバンドとに関して説明するものなど、ＲＦ信号のキャリア周波数の第３高調波に対応するＲＦ信号の成分を減衰させるように構成されるフィルタ処理のための手段に含まれ得る。
【００６２】
[0068]本装置は、楕円ＬＣフィルタ処理のための手段またはＲＣノッチフィルタ処理のための手段のうちの少なくとも１つをバイパスするための手段をも含み得る。たとえば、バイパスするための手段は、フィードバック受信機信号が楕円ＬＣフィルタ処理のための手段をバイパスし、ＲＣノッチフィルタ処理のための手段をバイパスすることを可能にする多段バイパス回路を含み得る。例示のために、バイパスするための手段は、図５のバイパス回路５２０、図５の多段バイパストランジスタ５１０、図５の第１段バイパストランジスタ５１２、図５の第２段バイパストランジスタ５１４、フィルタ処理のための手段の少なくとも一部分をバイパスするように構成された１つまたは複数の他の回路、またはそれらの任意の組合せを含み得る。
【００６３】
[0069]多段フィルタをもつフィードバック受信経路は、１つまたは複数のＩＣ、アナログＩＣ、ＲＦＩＣ、混合信号ＩＣ、ＡＳＩＣ、プリント回路板（ＰＣＢ）、電子デバイスなどの上に実装され得る。また、多段フィルタは、相補型金属酸化物半導体（ＣＭＯＳ）、ＮチャネルＭＯＳ（ＮＭＯＳ）、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）など、様々なＩＣプロセス技術を使用して作製され得る。
【００６４】
[0070]本明細書で説明するように受信フィードバック経路の上に多段フィルタを実装する装置は、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）などのＲＦＩＣ、（ｉｖ）移動局モデム（ＭＳＭ）などのＡＳＩＣ、（ｖ）他のデバイス内に埋め込まれ得るモジュール、（ｖｉ）受信機、セルラーフォン、ワイヤレスデバイス、ハンドセット、またはモバイルユニット、（ｖｉｉ）その他であり得る。
【００６５】
[0071]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。例示的な実施形態では、記憶媒体は、データを記憶するストレージデバイスである。ストレージデバイスは信号ではない。ストレージデバイスは、物理ストレージ材料の光反射率または磁気配向、トランジスタのフローティングゲートにまたはキャパシタのプレートに記憶された電荷量などに基づいてデータを記憶し得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００６６】
[0072]本明細書で使用する「構成要素」、「データベース」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。例示のために、図２のデータプロセッサ２８０は、本明細書で説明したように、フィードバック受信信号の多段フィルタ処理に基づいて、閉ループ電力制御動作中に１つまたは複数の利得制御信号の値を選択するためのプログラム命令、図５に関して説明したように、１つまたは複数のバイパスイネーブル信号の値を選択するためのプログラム命令、図６に関して説明したように、調整可能な受動構成要素の１つまたは複数の値を選択するためのプログラム命令、あるいはそれらの任意の組合せを実行し得る。例示的な、非限定的な例として、構成要素は、プロセッサ上で実行しているプロセス、プロセッサ、オブジェクト、実行ファイル、実行スレッド、プログラム、および／またはコンピュータであり得る。例として、コンピューティングデバイス上で実行しているアプリケーションと、そのコンピューティングデバイスの両方が構成要素であり得る。１つまたは複数の構成要素がプロセスおよび／または実行スレッド内に常駐し得、１つの構成要素が１つのコンピュータ上に配置され得、および／または２つまたはそれ以上のコンピュータ間に分散され得る。さらに、構成要素は、データ構造を記憶している様々なコンピュータ可読媒体から実行し得る。
【００６７】
[0073]選択された態様について詳細に図示および説明したが、以下の特許請求の範囲によって定義されるように、本発明の範囲から逸脱することなく、様々な置換および改変を本明細書で行い得ることを理解されよう。
【図１】
2017520168.tif 000004
【図２】
2017520168.tif 000005
【図３】
2017520168.tif 000006
【図４】
2017520168.tif 000007
【図５】
2017520168.tif 000008
【図６】
2017520168.tif 000009
【図７】
2017520168.tif 000010
【図８】
2017520168.tif 000011
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
楕円インダクタンスキャパシタンス（ＬＣ）フィルタと、
前記楕円ＬＣフィルタに直列に結合された抵抗容量性（ＲＣ）ノッチフィルタと、を備え、
前記楕円ＬＣフィルタおよび前記ＲＣノッチフィルタが、フィードバック受信経路によって受信された無線周波数（ＲＦ）信号をフィルタ処理するように構成された、装置。
【請求項２】
前記楕円ＬＣフィルタおよび前記ＲＣノッチフィルタが、トランシーバチップ中に含まれるオンチップフィルタを備える、請求項１に記載の装置。
【請求項３】
前記ＲＦ信号が前記楕円ＬＣフィルタをバイパスすること、または前記楕円ＬＣフィルタと前記ＲＣノッチフィルタとをバイパスすることを可能にするように構成されたバイパス回路をさらに備える、請求項１に記載の装置。
【請求項４】
前記バイパス回路が、
前記楕円ＬＣフィルタに結合された第１段バイパストランジスタと、
前記ＲＣノッチフィルタに結合された第２段バイパストランジスタと
を備える、請求項３に記載の装置。
【請求項５】
前記バイパス回路が、前記楕円ＬＣフィルタの入力と前記ＲＣノッチフィルタの出力とに結合された多段バイパストランジスタを備える、請求項３に記載の装置。
【請求項６】
前記楕円ＬＣフィルタが調整可能な構成要素を含み、前記ＲＣノッチフィルタが調整可能な構成要素を含む、請求項１に記載の装置。
【請求項７】
前記楕円ＬＣフィルタがローパス楕円フィルタを備え、前記ＲＣノッチフィルタがツイン「Ｔ」ＲＣノッチフィルタを備える、請求項１に記載の装置。
【請求項８】
前記楕円ＬＣフィルタが、
第１のノードと第２のノードとに結合された第１のキャパシタと、
前記第１のノードと前記第２のノードとに結合されたインダクタと
を備える、請求項１に記載の装置。
【請求項９】
前記楕円ＬＣフィルタが、
前記第１のノードと第３のノードとに結合された第２のキャパシタと、
前記第２のノードと前記第３のノードとに結合された第３のキャパシタと、
前記第２のノードと前記第３のノードとに結合された抵抗器と
をさらに備える、請求項８に記載の装置。
【請求項１０】
前記ＲＣノッチフィルタが、
第１のノードと第２のノードとに結合された第１の抵抗器と、
前記第１のノードと第３のノードとに結合された第１のキャパシタと、
前記第２のノードと第４のノードとに結合された第２の抵抗器と、
前記第３のノードと前記第４のノードとに結合された第２のキャパシタと
を備える、請求項１に記載の装置。
【請求項１１】
前記ＲＣノッチフィルタが、前記第２のノードと前記第３のノードとの間で直列に結合された第３の抵抗器と第３のキャパシタとをさらに備える、請求項１０に記載の装置。
【請求項１２】
前記フィードバック受信経路がＲＦ送信経路のカプラに結合される、請求項１に記載の装置。
【請求項１３】
前記楕円ＬＣフィルタおよび前記ＲＣノッチフィルタが、前記ＲＦ信号のキャリア周波数の第３高調波に対応する前記ＲＦ信号の成分を減衰させるように構成されたＲＦフィルタ中に含まれる、請求項１に記載の装置。
【請求項１４】
楕円インダクタンスキャパシタンス（ＬＣ）フィルタ処理のための手段と、
楕円ＬＣフィルタ処理のための前記手段に直列に結合された抵抗容量性（ＲＣ）ノッチフィルタ処理のための手段と、
を備え、
楕円ＬＣフィルタ処理のための前記手段およびＲＣノッチフィルタ処理のための前記手段が、フィードバック受信経路によって受信された無線周波数（ＲＦ）信号をフィルタ処理するように構成された、装置。
【請求項１５】
楕円ＬＣフィルタ処理のための前記手段およびＲＦノッチフィルタ処理のための前記手段が、トランシーバチップ中に含まれる、請求項１４に記載の装置。
【請求項１６】
楕円ＬＣフィルタ処理のための前記手段をバイパスする、または楕円ＬＣフィルタ処理のための前記手段とＲＣノッチフィルタ処理のための前記手段とをバイパスするための手段をさらに備える、請求項１４に記載の装置。
【請求項１７】
楕円ＬＣフィルタ処理のための前記手段またはＲＣノッチフィルタ処理のための前記手段が、調整可能な構成要素を含む、請求項１４に記載の装置。
【請求項１８】
フィードバック受信経路において無線周波数（ＲＦ）信号を受信することと、
楕円インダクタンスキャパシタンス（ＬＣ）フィルタにおいて前記ＲＦ信号をフィルタ処理することと、
抵抗容量性（ＲＣ）ノッチフィルタを用いて前記楕円ＬＣフィルタの出力をフィルタ処理することと
を備える方法。
【請求項１９】
前記楕円ＬＣフィルタまたは前記ＲＣノッチフィルタの少なくとも１つの構成要素の特性を調整することをさらに備える、請求項１８に記載の方法。
【請求項２０】
前記ＲＦ信号が前記楕円ＬＣフィルタをバイパスすること、または前記楕円ＬＣフィルタと前記ＲＣノッチフィルタとをバイパスすることを可能にするように構成されたバイパス回路において、制御信号を受信することをさらに備える、請求項１８に記載の方法。
【手続補正２】
【補正対象書類名】明細書
【補正対象項目名】００６７
【補正方法】変更
【補正の内容】
【００６７】
[0073]選択された態様について詳細に図示および説明したが、以下の特許請求の範囲によって定義されるように、本発明の範囲から逸脱することなく、様々な置換および改変を本明細書で行い得ることを理解されよう。
以下に、本願出願の当初の特許請求の範囲に記載された発明を付記する。
［Ｃ１］
楕円インダクタンスキャパシタンス（ＬＣ）フィルタと、
前記楕円ＬＣフィルタに直列に結合された抵抗容量性（ＲＣ）ノッチフィルタと、を備え、
前記楕円ＬＣフィルタおよび前記ＲＣノッチフィルタが、フィードバック受信経路によって受信された無線周波数（ＲＦ）信号をフィルタ処理するように構成された、装置。
［Ｃ２］
前記楕円ＬＣフィルタおよび前記ＲＣノッチフィルタが、トランシーバチップ中に含まれるオンチップフィルタを備える、Ｃ１に記載の装置。
［Ｃ３］
前記ＲＦ信号が前記楕円ＬＣフィルタまたは前記ＲＣノッチフィルタのうちの少なくとも１つをバイパスすることを可能にするように構成されたバイパス回路をさらに備える、Ｃ１に記載の装置。
［Ｃ４］
前記バイパス回路が、
前記楕円ＬＣフィルタに結合された第１段バイパストランジスタと、
前記ＲＣノッチフィルタに結合された第２段バイパストランジスタと
を備える、Ｃ３に記載の装置。
［Ｃ５］
前記バイパス回路が、前記楕円ＬＣフィルタの入力と前記ＲＣノッチフィルタの出力とに結合された多段バイパストランジスタを備える、Ｃ３に記載の装置。
［Ｃ６］
前記楕円ＬＣフィルタが調整可能な構成要素を含む、Ｃ１に記載の装置。
［Ｃ７］
前記ＲＣノッチフィルタが調整可能な構成要素を含む、Ｃ１に記載の装置。
［Ｃ８］
前記楕円ＬＣフィルタが、
第１のノードと第２のノードとに結合された第１のキャパシタと、
前記第１のノードと前記第２のノードとに結合されたインダクタとを備える、Ｃ１に記載の装置。
［Ｃ９］
前記楕円ＬＣフィルタが、
前記第１のノードと第３のノードとに結合された第２のキャパシタと、
前記第２のノードと前記第３のノードとに結合された第３のキャパシタと、
前記第２のノードと前記第３のノードとに結合された抵抗器とをさらに備える、Ｃ８に記載の装置。
［Ｃ１０］
前記ＲＣノッチフィルタが、
第１のノードと第２のノードとに結合された第１の抵抗器と、
前記第１のノードと第３のノードとに結合された第１のキャパシタと、
前記第２のノードと第４のノードとに結合された第２の抵抗器と、
前記第３のノードと前記第４のノードとに結合された第２のキャパシタとを備える、Ｃ１に記載の装置。
［Ｃ１１］
前記ＲＣノッチフィルタが、前記第２のノードと前記第３のノードとの間で直列に結合された第３の抵抗器と第３のキャパシタとをさらに備える、Ｃ１０に記載の装置。
［Ｃ１２］
前記フィードバック受信経路がＲＦ送信経路のカプラに結合される、Ｃ１に記載の装置。
［Ｃ１３］
前記楕円ＬＣフィルタおよび前記ＲＣノッチフィルタが、前記ＲＦ信号のキャリア周波数の第３高調波に対応する前記ＲＦ信号の成分を減衰させるように構成されたＲＦフィルタ中に含まれる、Ｃ１に記載の装置。
［Ｃ１４］
楕円インダクタンスキャパシタンス（ＬＣ）フィルタ処理のための手段と、
楕円ＬＣフィルタ処理のための前記手段に直列に結合された抵抗容量性（ＲＣ）ノッチフィルタ処理のための手段と、を備え、
楕円ＬＣフィルタ処理のための前記手段およびＲＣノッチフィルタ処理のための前記手段が、フィードバック受信経路によって受信された無線周波数（ＲＦ）信号をフィルタ処理するように構成された、装置。
［Ｃ１５］
楕円ＬＣフィルタ処理のための前記手段およびＲＦノッチフィルタ処理のための前記手段が、トランシーバチップ中に含まれる、Ｃ１４に記載の装置。
［Ｃ１６］
楕円ＬＣフィルタ処理のための前記手段またはＲＣノッチフィルタ処理のための前記手段のうちの少なくとも１つをバイパスするための手段をさらに備える、Ｃ１４に記載の装置。
［Ｃ１７］
楕円ＬＣフィルタ処理のための前記手段またはＲＣノッチフィルタ処理のための前記手段が、調整可能な構成要素を含む、Ｃ１４に記載の装置。
［Ｃ１８］
フィードバック受信経路において無線周波数（ＲＦ）信号を受信することと、
楕円インダクタンスキャパシタンス（ＬＣ）フィルタにおいて前記ＲＦ信号をフィルタ処理することと、
抵抗容量性（ＲＣ）ノッチフィルタを用いて前記楕円ＬＣフィルタの出力をフィルタ処理することと
を備える方法。
［Ｃ１９］
前記楕円ＬＣフィルタまたは前記ＲＣノッチフィルタの少なくとも１つの構成要素の特性を調整することをさらに備える、Ｃ１８に記載の方法。
［Ｃ２０］
前記ＲＦ信号が前記楕円ＬＣフィルタまたは前記ＲＣノッチフィルタのうちの少なくとも１つをバイパスすることを可能にするように構成されたバイパス回路において、制御信号を受信することをさらに備える、Ｃ１８に記載の方法。
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
楕円インダクタンスキャパシタンス（ＬＣ）フィルタと、
前記楕円ＬＣフィルタに直列に結合された抵抗容量性（ＲＣ）ノッチフィルタと、を備え、
前記楕円ＬＣフィルタおよび前記ＲＣノッチフィルタが、送信機のフィードバック受信経路によって受信された無線周波数（ＲＦ）信号をフィルタ処理するように構成された、装置。
【請求項２】
前記楕円ＬＣフィルタおよび前記ＲＣノッチフィルタが、トランシーバチップ中に含まれるオンチップフィルタを備える、請求項１に記載の装置。
【請求項３】
前記ＲＦ信号が前記楕円ＬＣフィルタをバイパスすること、または前記楕円ＬＣフィルタと前記ＲＣノッチフィルタとをバイパスすることを可能にするように構成されたバイパス回路をさらに備える、請求項１に記載の装置。
【請求項４】
前記バイパス回路が、
前記楕円ＬＣフィルタに結合された第１段バイパストランジスタと、
前記ＲＣノッチフィルタに結合された第２段バイパストランジスタと
を備える、請求項３に記載の装置。
【請求項５】
前記ＲＦ信号が前記楕円ＬＣフィルタと前記ＲＣノッチフィルタとをバイパスすることを可能にするように構成された多段バイパス回路をさらに備え、前記多段バイパス回路が、前記楕円ＬＣフィルタの入力と前記ＲＣノッチフィルタの出力とに結合された多段バイパストランジスタを備える、請求項１に記載の装置。
【請求項６】
前記楕円ＬＣフィルタが調整可能な構成要素を含み、前記ＲＣノッチフィルタが調整可能な構成要素を含む、請求項１に記載の装置。
【請求項７】
前記楕円ＬＣフィルタがローパス楕円フィルタを備え、前記ＲＣノッチフィルタがツイン「Ｔ」ＲＣノッチフィルタを備える、請求項１に記載の装置。
【請求項８】
前記楕円ＬＣフィルタが、
第１のノードと第２のノードとに結合された第１のキャパシタと、
前記第１のノードと前記第２のノードとに結合されたインダクタと
を備える、請求項１に記載の装置。
【請求項９】
前記楕円ＬＣフィルタが、
前記第１のノードと第３のノードとに結合された第２のキャパシタと、
前記第２のノードと前記第３のノードとに結合された第３のキャパシタと、
前記第２のノードと前記第３のノードとに結合された抵抗器と
をさらに備える、請求項８に記載の装置。
【請求項１０】
前記ＲＣノッチフィルタが、
第１のノードと第２のノードとに結合された第１の抵抗器と、
前記第１のノードと第３のノードとに結合された第１のキャパシタと、
前記第２のノードと第４のノードとに結合された第２の抵抗器と、
前記第３のノードと前記第４のノードとに結合された第２のキャパシタと
を備える、請求項１に記載の装置。
【請求項１１】
前記ＲＣノッチフィルタが、前記第２のノードと前記第３のノードとの間で直列に結合された第３の抵抗器と第３のキャパシタとをさらに備える、請求項１０に記載の装置。
【請求項１２】
前記フィードバック受信経路が、前記送信機のＲＦ送信経路のカプラに結合される、請求項１に記載の装置。
【請求項１３】
前記楕円ＬＣフィルタおよび前記ＲＣノッチフィルタが、前記ＲＦ信号のキャリア周波数の第３高調波に対応する前記ＲＦ信号の成分を減衰させるように構成されたＲＦフィルタ中に含まれる、請求項１に記載の装置。
【請求項１４】
楕円インダクタンスキャパシタンス（ＬＣ）フィルタ処理のための手段と、
楕円ＬＣフィルタ処理のための前記手段に直列に結合された抵抗容量性（ＲＣ）ノッチフィルタ処理のための手段と、
を備え、
楕円ＬＣフィルタ処理のための前記手段およびＲＣノッチフィルタ処理のための前記手段が、送信機のフィードバック受信経路によって受信された無線周波数（ＲＦ）信号をフィルタ処理するように構成された、装置。
【請求項１５】
楕円ＬＣフィルタ処理のための前記手段およびＲＦノッチフィルタ処理のための前記手段が、トランシーバチップ中に含まれる、請求項１４に記載の装置。
【請求項１６】
楕円ＬＣフィルタ処理のための前記手段をバイパスする、または楕円ＬＣフィルタ処理のための前記手段とＲＣノッチフィルタ処理のための前記手段とをバイパスするための手段をさらに備える、請求項１４に記載の装置。
【請求項１７】
楕円ＬＣフィルタ処理のための前記手段またはＲＣノッチフィルタ処理のための前記手段が、調整可能な構成要素を含む、請求項１４に記載の装置。
【請求項１８】
送信機のフィードバック受信経路において無線周波数（ＲＦ）信号を受信することと、
楕円インダクタンスキャパシタンス（ＬＣ）フィルタにおいて前記ＲＦ信号をフィルタ処理することと、
抵抗容量性（ＲＣ）ノッチフィルタを用いて前記楕円ＬＣフィルタの出力をフィルタ処理することと
を備える方法。
【請求項１９】
前記楕円ＬＣフィルタまたは前記ＲＣノッチフィルタの少なくとも１つの構成要素の特性を調整することをさらに備える、請求項１８に記載の方法。
【請求項２０】
前記ＲＦ信号が前記楕円ＬＣフィルタをバイパスすること、または前記楕円ＬＣフィルタと前記ＲＣノッチフィルタとをバイパスすることを可能にするように構成されたバイパス回路において、制御信号を受信することをさらに備える、請求項１８に記載の方法。
【国際調査報告】
2017520168.tif 000012
2017520168.tif 000013
2017520168.tif 000014